(57)【特許請求の範囲】
【請求項１】
箱状の装置本体１と、この装置本体１の前面パネル２に格子状に形成された複数個の開口部３と、これらの各開口部３を閉鎖できるように装置本体１に軸支され、かつ、前面パネル２と略同一垂直面となる前壁１０ａを有する複数個の鍵収納体４と、これら各鍵収納体４の後方に横方向に配設され、かつ、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納ケース本体１０の後壁１０ｂに枢着していることを特徴とする鍵管理。
【請求項２】
請求項１に於いて、鍵収納体４は、内部フレーム１２に適宜に横設軸架された横軸１１に軸支され、かつ、上部が開口する縦長状の鍵収納ケース本体１０と、この鍵収納ケース本体１０内に脱着自在に設けられたキーケース１３とから構成されていることを特徴とする鍵管理装置。
【請求項３】
請求項１に於いて、制御装置５には、使用者が鍵を鍵収納体４から取り出す時当該鍵収納体４を所要時間開いた状態にするタイマー回路が接続していることを特徴とする鍵管理装置。
【発明の詳細な説明】
【０００１】
【産業上の利用分野】
本発明は、マンション、オフィスビル等で各部屋の出入りに使用する鍵を玄関などで集中管理するための鍵管理装置に関する。
【０００２】
【従来の技術】
従来、この種の管理装置としては、例えば図８に示す一実施例が知られている。すなわち、５０は装置本体で、この装置本体５０には縦及び横方向に整列状態で複数個の鍵収納部５１が設けられている。各鍵収納部５１は、ボックス状に形成され、パネル５２の前面には各々開閉扉５３が枢着されている。
【０００３】
５４は各鍵収納部５１にそれぞれ内装された鍵５５用のロック装置である。この鍵ロック装置５４の前面５４ａと前記開閉扉５３との間には、手を差し入れて鍵５５をロック装置５４から引き抜くことができる所要空間５６が設けられている。
【０００４】
５７は装置本体５０又は管理人室に設けられ、かつ、前記各鍵ロック装置５４を制御する制御装置である。この制御装置５７には、装置本体５０の上部に内装された表示装置５８、装置本体５０の中央部に設けられたカードリーダー５９がそれぞれ電気的に接続している。
【０００５】
上記構成に於いては、図示しない磁気カードを装置本体５０のカード挿入口に差し込むと、カードリーダー５９がカードの内容を読取り、その識別情報を制御装置５７に送る。制御装置５７は、判断部６０に当該磁気カードが正規のものか否か、当該カード内容と一致する鍵収納部５１はどれかなどを判断させ、磁気カードの内容とメモリー部６１の登録情報とが一致した時に、表示装置５８の表示灯を点灯させ、またカード内容に対応する鍵収納部５１の鍵ロック装置５４のロックを解除させ、さらに開閉扉５３を自動的に開けさせる。
【０００６】
そこで、使用者は鍵収納部５１の所要空間５６に手を入れ、鍵５５をまず解錠方向へ回し、しかる後に鍵ロック装置５４から鍵を引き抜く。
【０００７】
しかしながら、上記構成に於いては、次に列挙するような欠点があった。
（１）鍵収納部５１に所要空間（スペース）５６を設けなければならないので、装置本体５０の奥行きＤが深くなる。したがって、装置本体をコンパクト化することができない。
（２）鍵５５をロック装置５４から引き抜く時に手を前記所要空間５６に入れ、かつ、鍵５５を掴んだ状態で、解錠位置へと回さなければならないので、操作が面倒であるのみならず、前面パネル５２に枢着された各々の開閉扉５３の面積を小さくすることができない。したがって、装置本体５０の所定の大きさのパネル５２に所望するような多数の鍵収納部を設けることができない。
（３）各鍵５５をそれぞれロックするための各鍵ロック装置５４や各開閉扉５３をそれぞれロックするための各ロック機構が必要なので、組立てが面倒であるのみならず、安価に製作できない。
【０００８】
【発明が解決しようとする課題】
本発明は以上のような従来の欠点に鑑み、鍵収納体のスペースを有効的に活用して装置本体の奥行きを浅くすることができ、また使用者にとって非常に使い易く、また所定の前面パネルを有効的に活用しながら装置本体に多数の鍵収納体を設けることができ、さらに、組立てが簡単で、安価な鍵管理装置を得ることである。加えて、前面パネルから外側に回転開放した鍵収納体を自動的に閉じることができる鍵管理装置を得ることである。
【０００９】
【課題を解決するための手段】
本発明の鍵管理装置は、箱状の装置本体１と、この装置本体１の前面パネル２に格子状に形成された複数個の開口部３と、これらの各開口部３を閉鎖できるように装置本体１に軸支され、かつ、前面パネル２と略同一垂直面となる前壁１０ａを有する複数個の鍵収納体４と、これら各鍵収納体４の後方に横方向に配設され、かつ、制御装置５からの制御命令信号に基づき極性変換用の各電源を介して駆動すると共に、前記各鍵収納体４をそれぞれ個別的かつ直接的に開閉する複数個の駆動装置６とを備え、前記駆動装置６は、作動杆１９がモータ本体の軸芯方向に進退動するマグネットモータであり、その作動杆１９の先端部１９ａが鍵収納ケース本体１０の後壁１０ｂに枢着していることを特徴とする。
【００１０】
そして、上記構成に於いて、制御装置５には、使用者が鍵を鍵収納体４から取り出す時当該鍵収納体４を所要時間開いた状態にするタイマー回路が接続している。
【００１１】
【作用】
使用者が識別カードを装置本体のカード挿入口に差し込むと、入力装置は識別カードのカード内容を制御装置に送る。制御装置は送られてきた情報信号を判断部に出力する。判断部は当該識別カードが正しければ照合一致が得られたカード内容に対応する鍵収納体を判別し、その判断結果を制御装置に通知する。制御装置はこの判断結果に基づき選定された駆動装置側に駆動信号を出力する。そうすると、当該駆動装置の当該電源を介して極性が変化し、その作動杆は伸長する。そこで、駆動装置の作動杆が伸長すると、鍵収納体は装置本体の外側に所要量回転する。これにより前面パネルの開口部が開口する。そこで、使用者は鍵収納体に手を入れ収納されている鍵をそのまま取り出す。この様に使用者が鍵を鍵収納体から取り出した後、自動的に又は押しボタン式のスイッチにより制御装置から駆動装置側に信号が送られると当該駆動装置用電源の極性が切り替わり、その作動杆が伸縮し、鍵収納体は元の閉鎖位置に戻る。
【００１２】
【実施例】
以下、図面に示す実施例により本発明を詳細に説明する。図１ないし図７において、１は箱状の装置本体である。この装置本体の奥行きは、概してこの種の装置本体より浅い。２は装置本体１の前面パネルである。この前面パネル２には、右側の一部分を除き、縦長状の開口部３が縦横整列状態（格子状）に形成されている。開口部３の数は、合計５０個あるが、この数は、必要に応じて増減可能である。
【００１３】
しかして、装置本体１には、前記各開口部３を閉鎖し、かつ、前面パネル２と略同一垂直面となる前壁を有する複数個の鍵収納体４がそれぞれ回動可能に軸支されている。また装置本体１には、各鍵収納体４を前面パネル２を基準にして当該開口部３を開閉させるために制御命令信号を出力する制御装置、この制御装置５からの制御命令信号に基づき駆動し、かつ、前記各鍵収納体４をそれぞれ直接的に開閉する複数個の駆動装置６などが組み込まれている。さらに、前記制御装置５には、鍵の使用者によって入力（識別カードの挿入、暗証番号の入力操作など）される入力装置の一例としてのカードリーダー７、使用者の当該鍵をどの鍵収納体４に収納すべきかなどを表示する表示部８などが電気的に接続している。
【００１４】
そこで、まず本発明の主要部である鍵収納体４及び駆動装置６について説明する。
【００１５】
鍵収納体４は、図１ないし図４で示すように、個々的には縦方向に配設され、いわば前面パネル２に設けられた各鍵収納部用の扉の一部を構成している。すなわち、１０は前面パネル２と略同一垂直面となる前壁１０ａを有し、かつ、上部が開口する縦長状の鍵収納ケース本体で、この鍵収納ケース本体１０は、装置本体１の縦長状開口部３に横軸１１を介して回動可能に軸支されている。鍵収納ケース本体１０の後壁１０ｂは前壁１０ａより多少短い。また鍵収納ケース本体１０の左右の側壁１０ｃは後壁１０ｂよりもさらに短く形成されている。なお、横軸１１は装置本体１の内部フレーム１２に適宜に横設軸架されている。
【００１６】
１３は鍵収納ケース本体１０内に脱着自在に設けられたキーケースで、このキーケース１３の上端部は鍵収納ケース本体１０の左右の側壁１０ｃよりも突出している。鍵の使用者は、例えばこのキーケース１３を鍵収納ケース本体１０から摘み出すように抜き、さらに収納されている鍵を取り出すことができる。したがって、このキーケース１３は鍵を取り出す場合に便利であるが、本発明の必須要件ではない。鍵をそのまま鍵収納ケース本体１０に入れておいても良く、また適宜形態のキーケース１３を鍵を容易に摘み出すことができるように鍵収納ケース本体１０と一体的に設けても良い。
【００１７】
駆動装置６は、図２で示すように鍵収納ケース本体１０の後方に配設される。この駆動装置６の一例としては、作動杆がモータ本体の軸芯方向に進退動するマグネットモータが使用されている。
【００１８】
ところで、このマグネットモータ６の構造を図５を参照に簡単に説明すると、１５は鍵収納ケース本体１０の後方に位置するように内部フレーム１２に固定的に横設されたモータ本体である。このモータ本体１５の内周部にはマグネット１６が固定的に内装され、またマグネット１６の内側には筒状の回転子１７が設けられている。１８は回転子１７を支承する中心案内筒で、この中心案内筒１８にはモータ本体１５の軸芯方向に進退動する作動杆１９がスライド可能に嵌挿されている。作動杆１９は、その先端部１９ａが鍵収納ケース本体１０の後壁１０ｂの中央部（中央部よりの部位も含む。）に適宜に枢着し、駆動装置用電源の極性が切り替わると進退動する。したがって、このマグネットモータ６は、出力軸が回転する一般のモータとは相違し、本来「モータ」と言うべきではないかも知れないが、本明細書では出力軸（作動杆）がモータ本体の軸芯方向に進退動するマグネットタイプの駆動装置を便宜上「マグネットモータ」と称する。
【００１９】
次に制御装置５について説明する。この制御装置５は、本実施例では装置本体１に適宜に組み込まれているが、必ずしも装置本体１に装着する必要はなく、例えば管理人室などに配設しても良い。
【００２０】
しかして、装置本体１には図７で示すように鍵の使用者によって入力（識別カードの挿入、暗証番号の入力操作など）される入力装置の一例としてのカードリーダー７が電気的に接続している。したがって、装置本体１の前面パネル２の適宜箇所には、入力装置７の位置に対応して識別カード（ＩＤカード、バーコードを有するカードなど）用のカード挿入口２０が設けられている。もちろん、入力装置７の他の例としては、いわゆるテンキーを別個又は併用して設けても良い。
【００２１】
また制御装置５には使用者の当該鍵をどの鍵収納体４に収納すべきか、どの鍵収納体４に収納されているかなどを表示する表示部８などが電気的に接続している。したがって、装置本体１の前面パネル２の適宜箇所には、点灯ランプ２１が鍵収納体４の数に対応して設けられている。さらに、制御装置５には装置本体１の各開口部内３にそれぞれ横設された各マグネットモータ６が極性変換用の各電源２２を介して電気的に接続している。なお、２３は本装置の作動に必要なプログラムを備えたメモリー部、２４は入力装置７からの入力信号を前記メモリー部の登録情報と比較照合して判別する判断部、２５は使用者が鍵を鍵収納体４から取り出す時当該鍵収納体４を所要時間開いた状態にするタイマー回路である。
【００２２】
上記構成に於いて、使用者が鍵収納体４に収納されている鍵を取り出す一態様について説明する。
【００２３】
まず使用者は識別カードを装置本体１のカード挿入口２０に差し込む。そうすると、入力装置７は識別カードのカード内容（識別情報）を制御装置５に送る。制御装置５は送られてきた情報信号を判断部２４に出力する。判断部２４は各鍵収納体４に対応して予めメモリー部２３に設定登録された登録情報と入力装置としてのカードリーダー７により読み取られたカード内容（識別情報）とを比較照合し、当該識別カードが正しければ照合一致が得られたカード内容に対応する鍵収納体４を判別し、その判断結果を制御装置５に通知する。制御装置５はこの判断結果に基づき選定されたマグネットモータ６側に駆動信号を出力する。そうすると、当該マグネットモータ６は当該電源２２を介して極性が変化し、その作動杆１９は伸長する。
【００２４】
次にマグネットモータ６の作動杆１９が伸長すると、図６で示すように鍵収納体４の鍵収納ケース本体１０は横軸１１を支点に装置本体１の外側に所要量（実施例では２５度）回転する。これにより前面パネル１の開口部３が開口する。この時当該鍵収納体４を所要時間開いた状態にするタイマー回路２５がスタートする。
【００２５】
そこで、使用者はキーケース１３を鍵収納ケース本体１０から指で摘み出すように抜き、さらに収納されている鍵を取り出す。この場合鍵がそのまま鍵収納ケース本体１０に収納されている場合、又はキーケース１３が鍵収納ケース本体１０と一体的に設けられている場合は、鍵を鍵収納ケース本体１０から直接摘み出す。
【００２６】
この様に使用者が鍵を鍵収納体４から取り出した後、制御装置５はタイマー回路２５のタイマーが終了後に駆動装置側に信号を送る。そうすると、当該電源２２の極性が切り替わり、マグネットモータ６の作動杆１９が伸縮し、鍵収納体４は元の位置に戻る。鍵収納体４は元の位置に戻ると、その前壁１０ａが前面パネル２と同一垂直面になる。
【００２７】
なお、上記実施例に於いて、鍵収納体４はタイマー回路２５のタイマーが終了後に元の閉鎖位置に戻ることについて説明したが、必ずしもタイマー回路２５を用いる必要はなく、例えば装置本体１の前面パネル２に押しボタンなどの鍵収納体４閉鎖用スイッチを設け、このスイッチを制御装置に電気的に接続しても良い。さらに、鍵が収納されているか否かを検知する内部検知器を鍵収納体４に適宜に装着し、この内部検知器を制御装置に接続して鍵収納体４を自動的に閉鎖位置し得るようにしても良い。
【００２８】
また上記実施例に於いて、前面パネルの開口部３は縦長状に形成され、鍵を縦長状の鍵収納体４に入れる旨を説明しているが、開口部３は横長状であっても良い。したがって、この場合は、鍵収納体４の形態が必然的に引き出し型になり、駆動装置６の作動杆１９より引き出し型の鍵収納体が前面パネル２を基準に開閉する。
【００２９】
【発明の効果】
以上の説明から明らかなように、本発明にあっては次に列挙するような効果がある。
（１）鍵収納体４の前壁１０ａが、いわば前面パネル２の一部を構成するので、鍵収納体のスペースを有効的に活用することができる。したがって、装置本体の奥行きを浅くすることができる（装置本体のコンパクト化）。
（２）鍵収納体４に鍵を入れる時は鍵を単に鍵収納体４に投入するだけで良く、一方、鍵を鍵収納体４から取出す時は鍵収納体４に手を入れ、収納されている鍵をそのまま取出すだけで良い。したがって、使用者にとって非常に使い易い。
（３）鍵収納体４は前面パネル２に形成された複数個の開口部３をそれぞれ閉鎖できるように装置本体１に軸支されているので、所定の大きさの前面パネルを有効的に活用しながら装置本体に多数の鍵収納体を設けることができる。
（４）装置本体には、制御装置５からの制御命令信号に基づき駆動する鍵収納体用駆動装置を各鍵収納体４の後方にそれぞれ配設するだけで十分である。すなわち、従来の一例のように開閉扉５３をロックするためのロック機構が必要でないので、組立てが簡単で、安価な鍵管理装置を得ることができる。
（５）制御装置５にタイマー回路２５又は装置本体１の鍵収納体４閉鎖用スイッチが接続している場合は、前面パネルから外側に回転開放した鍵収納体を自動的に閉じることができる。
（６）駆動装置６は作動杆１９がモータ本体の軸芯方向に進退動するマグネットモータであり、その作動杆１９の先端部１９ａが鍵収納ケース本体１０の後壁１０ｂに適宜に枢着しているので、鍵収納体（鍵収納ケース本体）４の開閉機構をシンプル化することができるのみならず、作動杆１９のストロークを十分に得ることができるので、鍵収納体（鍵収納ケース本体）４を所望する角度まで開放することができる。
【図面の簡単な説明】
図１ないし図７は本発明の一実施例の各説明図。
【図１】装置本体の外観を示す斜視図。
【図２】要部の概略縦断面説明図。
【図３】要部の概略説明図（要部を裏側から見た。）。
【図４】要部の斜視図。
【図５】要部（駆動装置）の説明図。
【図６】要部の作動状態の説明図。
【図７】制御装置の電気的構成を示すブロック図。
【図８】従来の一実施例を示す概略説明図。
【符号の説明】
１…装置本体、２…前面パネル、３…開口部、４…鍵収納体、５…制御装置、６…駆動装置、７…入力装置、８…表示部、１０…鍵収納ケース本体、１０ａ…前壁、１０ｂ…後壁、１３…キーケース、１９…作動杆、２０…カード挿入口、２１…点灯ランプ、２２…駆動装置用電源、２５…タイマー回路。
【図１】
0003548896.tif 000002
【図２】
0003548896.tif 000003
【図３】
0003548896.tif 000004
【図４】
0003548896.tif 000005
【図５】
0003548896.tif 000006
【図６】
0003548896.tif 000007
【図７】
0003548896.tif 000008
【図８】
0003548896.tif 000009